(57)【特許請求の範囲】
【請求項１】
少なくとも映像信号及び音声信号により構成される番組を送出する送信装置において、
前記映像信号及び又は音声信号の受信が許可される地域を特定する地域コード、及び受信が禁止される地域を特定する地域コードを設定して前記映像信号及び又は音声信号を送出することを特徴とする送信装置。
【請求項２】
前記映像信号及び音声信号を付加情報と共にそれぞれパケット化、時分割多重化して複数の番組を送出し、
前記付加情報により１つの番組を構成する前記映像信号及び音声信号のパケットを特定し、
前記地域コードを前記付加情報に割り当てて送出することを特徴とする請求項１に記載の送信装置。
【請求項３】
前記付加情報により、前記映像信号及び又は音声信号の受信装置に、前記受信装置が設置された地域を特定する地域コードを通知することを特徴とする請求項２に記載の送信装置。
【請求項４】
少なくとも映像信号及び音声信号により構成される番組を受信する受信装置において、
事前に取得した前記受信装置が設置された地域を特定する地域コードと、前記映像信号及び又は音声信号に設定された受信が許可される地域を特定する地域コードおよび受信が禁止される地域を特定する地域コードとの比較により、前記映像信号又は音声信号の仕向け地を判定することを特徴とする受信装置。
【請求項５】
前記判定結果に基づいて、前記映像信号又は音声信号の受信を停止することを特徴とする請求項４に記載の受信装置。
【請求項６】
前記映像信号及び音声信号は、付加情報と共にそれぞれパケット化、時分割多重化されて伝送され、
前記受信装置は、
前記付加情報により１つの番組を構成する前記映像信号及び音声信号のパケットを特定して受信し、
前記付加情報より前記映像信号及び又は音声信号に設定された前記地域コードを取得することを特徴とする請求項５に記載の受信装置。
【請求項７】
前記付加情報により前記受信装置が設置された地域を特定する地域コードを取得することを特徴とする請求項６に記載の受信装置。
【請求項８】
少なくとも映像信号及び音声信号により構成される番組を送信装置から複数の受信装置に対して伝送する番組の伝送方法において、
前記送信装置より、前記映像信号及び又は音声信号の受信が許可される地域を特定する地域コード、及び受信が禁止される地域を特定する地域コードを設定して前記映像信号及び又は音声信号を送出し、
前記受信装置において、事前に取得した前記受信装置が設置された地域を特定する地域コードと、前記映像信号及び又は音声信号に設定された地域コードとの比較により、前記映像信号又は音声信号の仕向け地を判定することを特徴とする番組の伝送方法。
【請求項９】
前記映像信号及び音声信号を付加情報と共にそれぞれパケット化、時分割多重化して複数の番組を伝送し、
前記付加情報により１つの番組を構成する前記映像信号及び音声信号のパケットを特定し、
前記映像信号及び又は音声信号に設定する地域コードを前記付加情報に割り当てて送出することを特徴とする請求項８に記載の番組の伝送方法。
【請求項１０】
前記付加情報により前記受信装置が設置された地域を特定する地域コードを通知することを特徴とする請求項９に記載の番組の伝送方法。
【発明の詳細な説明】
【０００１】
【発明の属する技術分野】
本発明は、送信装置、受信装置及び番組の伝送方法に関し、例えばディジタル衛星放送に適用することができる。本発明は、個々の受信装置に設定された受信側識別コードに対応する送信側識別コードを映像信号及び又は音声信号に設定して送出することにより、特定地域向けのプログラム等により各種番組を提供することができるようにする。
【０００２】
【従来の技術】
従来、ディジタル衛星放送においては、映像信号及び音声信号をパケット化して時分割多重化により伝送することにより、１つの衛星より多数の番組を提供するようになされている。ディジタル衛星放送では、このようにして多重化して伝送したパケットより所望の番組を構成するパケットを取得するために、各種データを併せてパケット化して伝送するようになされている。
【０００３】
すなわち図１は、この種のディジタル衛星放送システムを示すブロック図である。このディジタル衛星放送システム１において、地上局２は、例えば各種番組提供者よりベースバンドによる映像信号ＳＶ、音声信号ＳＡを受け、エンコーダ３Ａ〜３Ｎによりデータ圧縮してトランスポートストリームを生成する。なおここでこの処理は、ＩＴＵ−Ｔ勧告Ｈ．２６２．ＩＳＯ／ＩＥＣ１３８１８−２及びＩＳＯ／ＩＥＣ１３８１８−３に規定された方式による符号化処理、ＩＴＵ−Ｔ勧告  Ｈ２２２．０．ＩＳＯ／ＩＥＣ１３８１８−１で規定される方式による多重化処理により実行される。地上局２では、これらのトランスポートストリームをパケット化、時分割多重化して送出する。
【０００４】
ＥＰＧジェネレータ（ＥＰＧＧＥＮ）４は、このようにしてパケット化して送出するデータの１つであるＥＰＧ（Electronic Program Guide）を生成して出力する。ここでＥＰＧは、番組名、番組の内容の紹介、今後の放送スケジュール等による番組案内であり、ＥＰＧジェネレータ４は、各番組提供者より放送予定のデータを取得してＥＰＧを生成する。
【０００５】
ＥＭＭジェネレータ（ＥＭＭＧＥＮ）５は、このようにしてパケット化して伝送するデータの１つであるＥＭＭ（Entitlement Management Message）を生成して多重化装置７に出力する。ここでＥＭＭは、各受信端末の受信契約情報であり、ディジタル衛星放送システム１では、このＥＭＭを定期的に送出して各受信端末で契約したスクランブル放送を視聴できるようになされている。
【０００６】
ＭＵＸコントローラ６は、多重化装置（ＭＵＸ）７の動作を制御し、多重化装置７は、各トランスポートストリームをパケット化して時分割多重化することにより１つの多重化ストリームを作成する。ＭＵＸコントローラ６は、多重化装置７にＰＭＴ（Program Map Table ）、ＰＡＴ（Program Association Table ）等のＰＳＩ（Program Specific information）の設定を指示する。
【０００７】
ここでＰＳＩは、番組の選択基準であるプログラム仕様情報であり、ＰＭＴ、ＰＡＴ等により構成される。またＰＭＴは、１つの番組のパケットを特定するデータであり、各番組毎に設定される。またＰＡＴは、ＰＭＴを特定するデータである。
【０００８】
すなわち図１０に示すように、ディジタル衛星放送システム１では、トランスポートストリームに対応して各パケットにパケットＩＤ（ＰＩＤ）が設定される。この場合に、例えば映像信号によるパケット（Ｖｉｄｅｏ１）、音声信号によるパケット（Ａｕｄｉｏ１）により１のチャンネルが構成され、これら映像信号及び音声信号によるパケット（Ｖｉｄｅｏ１）及び（Ａｕｄｉｏ１）のＰＩＤがそれぞれ０ｘ０１００及び０ｘ０１０１に設定され、さらにこれら映像信号及び音声信号を復調する際の時間情報のパケットＰＣＲ（Program Clock Reference ）１のＰＩＤが０ｘ０１ｆｆに設定されている場合、このチャンネルにおいては、対応するＰＭＴにおいて、これらのＰＩＤ０ｘ０１００、０ｘ０１０１、０ｘ０１ｆｆが特定される。なおここでｘｘは１６進を意味する。
【０００９】
また同様にして映像信号によるパケット（Ｖｉｄｅｏ２）、音声信号によるパケット（Ａｕｄｉｏ２）により１のチャンネルが構成され、これら映像信号及び音声信号によるパケット（Ｖｉｄｅｏ２）及び（Ａｕｄｉｏ２）のＰＩＤがそれぞれ０ｘ０２００及び０ｘ０２０１に設定され、ＰＣＲ２のＰＩＤが０ｘ０２ｆｆに設定されている場合、このチャンネルにおいては、対応するＰＭＴにおいて、これらのＰＩＤ０ｘ０２００、０ｘ０２０１、０ｘ０２ｆｆが特定される。
【００１０】
また第３のチャンネルにおいて、映像信号によるパケット（Ｖｉｄｅｏ３）、音声信号によるパケット（Ａｕｄｉｏ３）、ＰＣＲ３のパケットのＰＩＤがそれぞれ０ｘ０３００、０ｘ０３０１、０ｘ０３ｆｆに設定されている場合、この番組においては、対応するＰＭＴにおいて、これらのＰＩＤ０ｘ０３００、０ｘ０３０１、０ｘ０３ｆｆが特定される。
【００１１】
さらにこのようにして各番組のＰＩＤを特定するＰＭＴのパケットにおいても、それぞれＰＩＤが割り当てられ、これらＰＭＴのＰＩＤがＰＡＴにより特定される。すなわちＰＡＴは、少なくともチャンネル番号と、各チャンネルによるＰＭＴのＰＩＤが記述される。なおＰＡＴのＰＩＤは０ｘ００００（０ｘは１６進を意味する）に固定されている。
【００１２】
これによりディジタル衛星放送システム１においては、ＰＡＴ、ＰＭＴを順次辿ってＰＭＴにより特定されるＰＩＤのパケットを選択的に復号して、所望の番組について映像信号、音声信号、基準時間情報を復調できるようになされている。
【００１３】
変調回路（ＭＯＤ）８は、この多重化ストリームを変調する。地上局２においては、このようにして複数番組を時分割多重化してなる変調信号を複数生成し、これら複数の変調信号を周波数多重化してアンテナ９より衛星１０にアップリンクする。
【００１４】
ユーザー側においては、衛星１０よりダウンリンクされる放送波をアンテナ１２により受信し、受信端末１１に入力する。ここで受信端末１１は、ユーザーの選択操作に応動して所定周波数の放送波を選択的に受信して多重化ストリームを復調する。さらにＰＡＴ、ＰＭＴより特定されるＰＩＤのパケットをこの多重化ストリームより選択して映像信号及び音声信号によるトランスポートストリームを再生し、このトランスポートストリームより映像信号及び音声信号を再生する。
【００１５】
ユーザー側においては、この映像信号及び音声信号をモニタ装置１５によりモニタし、これにより所望の番組を視聴できるようになされている。このようにして放送を視聴するにつき、受信端末１１においては、ユーザーの操作により、ＥＰＧの内容をモニタ装置１５に表示し、これにより放送スケジュール等を確認して所望の番組を選択できるようになされている。
【００１６】
なおこの種の受信端末１１においては、電話回線１６を介して、有料番組の視聴結果、さらには有料番組の視聴予約を顧客管理システム１７に通知できるようになされている。
【００１７】
【発明が解決しようとする課題】
ところでディジタル衛星放送システムにおいては、広範囲の地域に多数の番組を提供することができる反面、地上波によるテレビジョン放送のように、特定の地域毎に例えばコマーシャル等を差し替えた放送が困難な問題がある。
【００１８】
本発明は以上の点を考慮してなされたもので、特定地域向けのプログラムにより各種番組を提供することができる送信装置及び番組の伝送方法、対応する受信装置を提案しようとするものである。
【００１９】
【課題を解決するための手段】
かかる課題を解決するため請求項１に係る発明においては、送信装置に適用して、前記映像信号及び音声信号を受信する受信装置には、番組の受信を制御する受信側識別コードが設けられ、前記送信装置は、前記受信側識別コードに対応して、前記映像信号及び又は音声信号の受信を許可する許可コード及び受信を禁止する禁止コードを設定して前記映像信号及び又は音声信号を送出する。
【００２０】
また請求項５に係る発明においては、受信装置に適用して、事前に取得した受信側識別コードと、映像信号及び又は音声信号に設定された受信を許可する許可コード及び受信を禁止する禁止コードとの比較により、映像信号又は音声信号の送信対象を判定する。
【００２１】
また請求項１０に係る発明においては、番組の伝送方法に適用して、送信装置より、個々の受信装置に設定けられた番組の受信を制御する受信側識別コードに対応して、前記映像信号及び又は音声信号の受信を許可する許可コード及び受信を禁止する禁止コードを設定して前記映像信号及び又は音声信号を送出し、受信装置において、事前に取得した受信側識別コードと、映像信号及び又は音声信号に設定された前記許可コード及び禁止コードとの比較により、映像信号又は音声信号の送信対象を判定する。
【００２２】
請求項１に係る構成によれば、送信装置に適用して、個々の受信装置に設けられた受信側識別コードに対応して映像信号及び又は音声信号の許可コード及び禁止コードを設定することにより、受信側識別コードと許可コード及び禁止コードとの対応により受信が推奨される映像信号、音声信号か否か等を受信側で識別可能にして、映像信号、音声信号を送出することができ、これにより例えば特定地域向けのプログラムにより各種番組を提供することが可能となる。
【００２３】
また請求項５に係る構成によれば、受信装置に適用して、事前に取得した受信側識別コードと、映像信号及び又は音声信号に設定された許可コード及び禁止コードとの比較により、映像信号又は音声信号の送信対象を判定することにより、個々の映像信号、音声信号が送信装置側で推奨されるものか否か等を判定することができ、これにより例えば特定地域向けのプログラムにより提供される各種番組を視聴することが可能となる。
【００２４】
また請求項１０に係る構成によれば、番組の伝送方法に適用して、送信装置より、個々の受信装置に設けられた受信側識別コードに対応して映像信号及び又は音声信号の許可コード及び禁止コードを設定して送出し、受信装置において、事前に取得した受信側識別コードと、映像信号及び又は音声信号に設定された許可コード及び禁止コードとの比較により、映像信号又は音声信号の送信対象を判定すれば、受信側識別コードと送信側識別コードとの対応により受信が推奨される映像信号、音声信号か否か等を受信側で識別可能にして、映像信号、音声信号を送出することができ、これにより例えば特定地域向けのプログラムにより各種番組を提供することが可能となる。
【００２５】
【発明の実施の形態】
以下、適宜図面を参照しながら本発明の実施の形態を詳述する。
【００２６】
（１）実施の形態の構成
この実施の形態において、ディジタル衛星放送システムは、地域コードにより放送対象の地域を特定して番組を放送する。なお実施の形態に係るこのディジタル衛星放送システムにおいては、ＥＭＭジェネレータの構成、受信端末の構成、関連する構成が異なる点を除いて図１について上述したディジタル衛星放送システム１と同一の構成であることから、この図１において、従来システムと異なる構成を括弧書きの符号により示してこの実施の形態に係るディジタル衛星放送システムを説明する。
【００２７】
すなわちこの実施の形態に係るディジタル衛星放送システム２０において、地上局２２は、所定のチャンネルについては、１つの映像信号に対して西日本向けと東日本向けとによる音声信号のパケットをそれぞれ送出する。これに対応して地上局２２は、ＰＭＴの記述により、これら西日本向けと東日本向けとによる音声信号を受信端末２１側にて識別できるようにする。
【００２８】
すなわちＰＭＴのパケットにおいては、図２にセクションを示すように、ＰＭＴであることを示すテーブルＩＤ（table ID）が８ビットにより記述され、続いて値１の固定値であるセクションシンタックスインディケーター（Section Syntax indicator）が記述される。続いて値０の固定値（'0' ）が記述された後、２ビットのリザーブビット（reserved）が割り当てられる。
【００２９】
続いて最後尾に割り当てる誤り訂正符号（ＣＲＣ：Cyclic Redundancy Check ）までのバイト数を示す１２ビットによるセクション長（section 1ength）が記述され、このＰＭＴにより特定される１６ビットによるチャンネルの番号（program number）、２ビットによるリザーブビット（reserved）が順次割り当てられる。
【００３０】
続いてこのＰＭＴのバージョンを示す５ビットによりバージョン番号（version number）が記述され、ＰＭＴが更新されるとこのバージョン番号が歩進される。続いてこのＰＭＴが現在カレントにセットされているか否か、すなわちこのＰＭＴが現在使用可能か否か示す１ビットのカレントネクストインディケータ（current next indicator）が記述され、続いてこのＰＭＴを構成するセクション番号（section number）、ＰＭＴによって規定される全セクションの最後のセクション番号（last section number ）が記述される。なおＰＭＴにおいては、その性質よりセクション番号（section number）は「０ｘ００」である固定値が設定され、また最後のセクション番号（last section number ）も「０ｘ００」の固定値が設定される。
【００３１】
続いてＰＭＴは、３ビットによるリザーブビット（reserved）が割り当てられた後、このＰＭＴにより特定されるＰＣＲパケットのＰＩＤ（PCR  PID）が記述され、４ビットによるリザーブビット（reserved）が割り当てられる。続いてＰＭＴは、このＰＭＴにより特定される映像、音声等のパケット（すなわちエレメンタリーストリームのパケットである）を定義するディスクリプタ（descriptor）のバイト数（Program info length ）が記述された後、このＰＭＴにより特定されるチャンネルに共通のディスクリプタが記述される（descriptor()）。
【００３２】
さらにＰＭＴは、続いて各エレメンタリーストリームのディスクリプタが記述される。ここでこの各エレメンタリーストリームのディスクリプタにおいては、映像信号、音声信号等のエレメンタリーストリームの種類を示す記述（stream type ）に続いて、３ビットによるリザーブビット（reserved）が割り当てられ、対応するパケットＩＤ（elementary PID）、リザーブビット（reserved）が記述される。また続いてこのエレメンタリーストリームについての続く情報（descriptor()）のバイト数（ES info 1ength）が記述され、さらこのパケットＩＤ（elementary PID）によるエレメンタリーストリームについて詳細なディスクリプタ（descriptor()）（符号Ａにより示す）が記述される。
【００３３】
この実施の形態においては、西日本向けと東日本向けとによる音声信号のパケットである旨をこの詳細なディスクリプタ（descriptor()）にて記述する。
【００３４】
すなわち図３に示すように、ＭＵＸコントローラ２６は、その特定地域向けのエレメンタリーストリームについては（Allowed region descriptor() ）、仕向け地の記述であることを示すタグ（descriptor tag）、記述のバイト長（descriptor 1ength ）を続けた後、仕向け地を特定する地域コード（region code ）を記述する。
【００３５】
これに対して図４に示すように、このエレメンタリーストリームについて、特定の仕向け地にて推奨されない旨を記述する場合には（Denied region descriptor()）、その旨のタグ（descriptor tag）、記述のバイト長（descriptor 1ength ）を続けた後、この仕向け地でない地域の地域コード（region code ）を記述する。
【００３６】
具体的に、図５に示すように、ＭＵＸコントローラ２６は、ＰＭＴに規定された記述に従ってＰＭＴを順次記述し、映像ストリームについて、エレメンタリーストリームの種類（stream type ）を記述した後、対応するパケットＩＤ（elementary PID）０ｘ０１２０を記述し、続く続く情報（descriptor()）のバイト数（ES info 1ength）を値０にセットしてこの映像ストリームについてのディスクリプタを完了する。
【００３７】
また続いて音声ストリームについて、エレメンタリーストリームの種類（stream type ）を記述した後、対応するパケットＩＤ（elementary PID）０ｘ０１２１を記述し、続く情報（descriptor()）のバイト数（ES info 1ength）をセットし、この場合続いて地域コードを記述することにより、この記述に要するバイト数をこのバイト数（ES info 1ength）に記述する。
【００３８】
さらにＭＵＸコントローラ２６は、仕向け地を示すディスクリプタである旨タグをセットし（descriptor tag）、記述のバイト長（descriptor 1ength ）を続ける。さらにこのパケットＩＤ（elementary PID）０ｘ０１２１による音声パケットの仕向け地が東日本用である場合、東日本を示す地域コード１００を地域コード（region code ）に記述する。
【００３９】
ＭＵＸコントローラ２６においては、続いて同様にして西日本向けの音声ストリームについて、エレメンタリーストリームの種類（stream type ）、パケットＩＤ（elementary PID）０ｘ０１２２、バイト数（ES info 1ength）をセットし、西日本を示す地域コード２００を地域コード（region code ）に記述する。
【００４０】
さらに地上局２においては、さらに各受信端末２１の地域コードをＥＭＭにより各受信端末に通知する。すなわち地上局２においては、顧客管理システム１７より通知される受信端末２１の設置場所情報より、各チャンネルに設定する地域コードに対応するように、対応する地域コードを各受信端末２１に通知する。なおＥＭＭは、定期的に（例えば１５分周期）に送出され、センターからの個人宛のメールなども含めることができることにより、地上局２においては、このＥＭＭのディスクリプタの記述により地域コードを通知する。
【００４１】
かくしてこのようにしてＥＭＭにより通知される地域コードは、個々の受信端末に設定される受信側識別コードを構成するのに対し、ＰＭＴに付加された地域コードは、この受信側識別コードに対応して映像信号又は音声信号に設定される送信側識別コードを構成することになる。
【００４２】
図６は、受信端末２１を示すブロック図である。この受信端末２１において、チューナ３０は、システムコントローラ３１の制御によりユーザーの所望するチャンネルについて放送波を受信して多重化ストリームを出力する。デマルチプレクサ３２は、システムコントローラ３１の制御により、このチューナ３０より出力される多重化ストリームよりユーザーの所望する番組のパケットを選択して出力する。デコーダ３３は、このパケットによるデータをデータ伸長して処理することにより、映像信号、音声信号、さらにはデータ放送によるデータを復調して出力する。
【００４３】
受信端末２１では、このようにして復調された映像信号及び音声信号がモニタ装置１５に出力され、これにより所望の番組を視聴できるようになされている。またデータ放送によるデータについては、例えば専用ポート、ＲＳ−２３２Ｃポート等を介して外部機器に出力されるようになされている。
【００４４】
加算回路３４においては、このデコーダ３３の出力側に配置されて、デコーダ３３より出力される映像信号及び又は音声信号にシステムコントローラ３１より出力される映像信号及び又は音声信号を加算して出力し、またデコーダ３３より出力される映像信号及び又は音声信号に代えて、システムコントローラ３１より出力される映像信号及び又は音声信号を出力する。これにより受信端末２１においては、必要に応じてグラフィカルユーザーインターフェースによるメニュー画面、インターネットに接続して取得した各種情報を表示し、またアラーム音等を出力できるようになされている。
【００４５】
モデム３５は、システムコントローラ３１の制御により電話回線１６に所望のデータを送出し、また電話回線１６を介して所望のデータを取得する。これにより受信端末２１は、必要に応じて顧客管理システム１７に接続できるようになされ、またオンラインショッピング等を実行できるようになされている。
【００４６】
システムコントローラ３１は、中央処理ユニットであり、図示しないメモリ回路に記録された処理手順を実行することにより、操作子３６等の操作に応動してこの受信端末２１全体の動作を制御する。
【００４７】
すなわちシステムコントローラ３１は、ユーザーによる操作子３６の操作に応動して、デマルチプレクサ３２より出力されるＰＡＴ、ＰＩＤ、ＰＭＴよりユーザーの所望するチャンネルのパケットＩＤを取得する。さらにこの取得したパケットＩＤの処理をデマルチプレクサ３２に指示することにより、ユーザーの所望するチャンネルを受信してモニタ装置１５に出力する。さらにシステムコントローラ３１は、一定周期により送られるＥＭＭをデマルチプレクサ３２より取得し、このＥＭＭに記述された契約情報を取得する。システムコントローラ３１は、必要に応じてこの契約情報に基づいてデコーダの動作を制御することにより、スクランブル放送を受信する。
【００４８】
このときシステムコントローラ３１は、ＥＭＭより併せて地域コードを取得する。さらにシステムコントローラ３１は、ＰＭＴに地域コードが付加されている場合、ユーザーにより別段の設定がなされていない場合に限って、タグ（discriptor tag）（図５）に従ってＥＭＭより取得した地域コードと一致する地域コードが付加されてなるエレメンタリーストリームを選択的に受信するように、またこれとは逆に受信しないようにデマルチプレクサ３２の動作を制御する。すなわち図３について上述した特定地域向けのエレメンタリーストリームについては（Allowed region descriptor() ）、これを選択的に受信する。また図４について上述した特定の仕向け地にて推奨されないエレメンタリーストリームについては（Denied region descriptor()）、これを選択的に受信しないようにする。
【００４９】
これに対してユーザーにより別段の設定がなされている場合、地域コードが付加されてなる番組である旨、モニタ装置１５を介してユーザーに告知し、ユーザーの指定により、地域コードにより推奨されるエレメンタリーストリーム、又はユーザーの選択したエレメンタリーストリームの選択をデマルチプレクサ３２に指示する。
【００５０】
（２）実施の形態の動作
以上の構成において、ディジタル衛星放送システム２０においては（図１）、映像信号ＳＶ及び音声信号ＳＡによる複数の番組、データ放送によるデータ等がデータ圧縮された後、ＰＡＴ、ＰＭＴ、ＥＭＭ等である付加情報と共に時分割多重化処理されて多重化ストリームが形成され、この多重化ストリームが周波数多重化されて衛星１０にアップリンクされる。ディジタル衛星放送システム２０においては、このようにして生成された放送波が衛星１０によりダウンリンクされ、受信端末２１により受信される。
【００５１】
このように各種番組を送出する際に、地上局２２側においては、例えば特定の番組については、共通の映像信号と西日本向けの音声信号、東日本向けの音声信号とにより番組を構成される。すなわちこの共通の映像信号と西日本向けの音声信号、東日本向けの音声信号による各エレメンタリーストリームがそれぞれパケット化され、他のエレメンタリーストリームによるパケットと共に時分割多重化されて送出される。
【００５２】
またこのとき付加情報であるＰＡＴ、ＰＭＴによりこの番組に関するパケットＩＤ（ＰＩＤ）を指定して、１の番組を構成するパケットを多くのパケットより選択的に取得可能にこれら番組が送出される。またこのＰＭＴにおいて、映像信号のエレメンタリーストリームを定義するディスクリプタの記述により（図２〜図５）、この映像信号によるエレメンタリーストリームが受信地域で共通するエレメンタリーストリームである旨指定されて送出される。
【００５３】
またそれぞれ西日本向けの音声信号による各エレメンタリーストリーム、東日本向けの音声信号による各エレメンタリーストリームを定義するディスクリプタの記述に、受信可能な地域のうちの一部地域である西日本、東日本を特定する地域コードが割り当てられ、これによりこれら音声信号によるエレメンタリーストリームがそれぞれこの地域コードに対応する地域で視聴が推奨される音声である旨指定されて送出される。
【００５４】
さらに顧客管理システム１７で実行される受信端末２１とのデータ通信で検出される各受信端末２１の設置場所情報より、個々の受信端末２１との間の通信用の付加情報であるＥＭＭに、ＰＭＴの地域コードに対応する各受信端末２１の地域コードが設定されて送信される。
【００５５】
受信端末２１においては（図６）、このようにして送出された放送波がアンテナ１２で受信され、チューナ３０により所望の放送波が選局されて多重化ストリームが復調される。さらにこの多重化ストリームからＰＡＴ、ＰＭＴがデマルチプレクサ３２により選択され、システムコントローラ３１の制御によりこのＰＡＴ、ＰＭＴにより特定されるパケットがデコーダ３３により復調される。これにより受信端末２１においては、モニタ装置１５により所望の番組について映像信号及び音声信号を視聴することが可能となる。
【００５６】
このとき受信端末２１においては、一定周期により受信されるＥＭＭにより受信側識別コードである受信端末２１の地域コードが検出される。さらにＰＭＴにより地域コードが付加されてなるエレメンタリーストリームが検出され、ＥＭＭより取得した地域コードとＰＭＴに設定された地域コードとの比較により、音声信号によるエレメンタリーストリームの仕向け地が判定される。
【００５７】
ユーザーにより別段の設定がなされていない場合、受信端末２１においては、この判定結果に基づいて、設置場所を仕向け地にしてなる音声信号によるエレメンタリーストリームが選択的に復調され、またこれとは逆に復調これにより例えばこの受信端末２１が西日本に設置されている場合には、共通の映像信号と西日本向けの音声信号がモニタ装置１５より出力される。
【００５８】
すなわち図３について上述した特定地域向けのエレメンタリーストリーム（Allowed region descriptor() ）が存在する場合、受信端末側ではこのエレメンタリーストリームが選択的に受信されるのに対し、図４について上述した特定の仕向け地にて推奨されないエレメンタリーストリーム（Denied region descriptor()）については、このエレメンタリーストリームを受信しないようにデマルチプレクサ３２の動作がシステムコントローラ３１により制御される。これによりこのディジタル衛星放送システム２０においては、特定地域向けのプログラムにより各種番組を提供することが可能となる。
【００５９】
すなわちこの場合図７に示すように、例えば各地域Ａ、Ｂ、Ｃの地域コードをそれぞれ１００、２００、３００として、それぞれ第１及び第２の映像信号（映像１及び２）、第１及び第２の音声信号（音声１及び音声２）により１つの番組を構成して放送する場合、ＰＭＴの記述により、これら映像信号、音声信号を各地域において自動的に受信し（符号○により示す）、また自動的に受信しないようし（符号×により示す）、さらには選択により視聴可能とすることができる（符号△により示す）。
【００６０】
また図７との対比により図８に示すように、１つのタグで複数の地域コードを指定するようにディスクリプタを記述することにより、複数の地域において、これら映像信号、音声信号を自動的に受信し、また自動的に受信しないようすることができる。
【００６１】
また同様の対比により図９に示すように、一部の地域Ｂを除く２つの地域Ａ及びＣにおいて、それぞれ異なる音声及び映像による番組を自動的に受信するように設定することもできる。
【００６２】
これに対して受信端末２１において、ユーザーにより別段の設定がなされている場合、地域コードが付加されてなる番組である旨、モニタ装置１５を介してユーザーに告知され、ユーザーの指定により地域コードにより推奨される音声信号、又はユーザーの選択した音声信号がモニタ装置１５より提供される。
【００６３】
なおこの種のディジタル衛星放送システムにおいては、このように設定したディスクリプタを受信端末側において解析困難な場合、このような記述が受信端末側で無視されることにより、ユーザーの選択操作によれなければならないものの、既存の受信端末においても、各仕向け地向けの番組を視聴することが可能となる。
【００６４】
（３）実施の形態の効果
以上の構成によれば、ＥＭＭを介して個々の受信装置に設定された受信側識別コードである地域コードに対応するように、送信側識別コードである地域コードを映像信号及び又は音声信号に設定して送出することにより、特定地域向けのプログラム等により各種番組を提供することができる。
【００６５】
特にこの種の地域コードをＥＭＭ、ＰＭＴにおけるディスクリプタの設定により通知することにより、必要に応じて地域コードにより特定される地域を種々に変更して柔軟に番組の提供地域を特定することができ、また既存の受信端末との間でも受信可能として互換性を維持することができる。
【００６６】
（４）他の実施の形態
なお上述の実施の形態においては、２つの映像信号、２つの音声信号により１の番組を構成して各仕向け地に放送する場合、さらには１の映像信号に対して２つの音声信号により１つの番組を構成して各仕向け地に放送する場合について述べたが、本発明はこれに限らず、必要に応じて２以上の映像信号、２以上の音声信号により１の番組を構成して各仕向け地に放送する場合にも広く適用することができる。
【００６７】
また上述の実施の形態においては、ＥＭＭにより各受信端末の設置場所に対応する受信側識別コードである地域コードを通知する場合について述べたが、本発明はこれに限らず、電話回線により通知するようにしてもよい。
【００６８】
また上述の実施の形態においては、地域により番組を切り換えて提供する場合について述べたが、本発明はこれに限らず、地域に代えてユーザーの登録により番組を切り換えて提供する場合等に広く適用することができる。因みにこの場合、例えば多言語によりニュース等を提供する場合に、英語による解説、ドイツ語による解説等をそれぞれ選択的に受信することができるように各受信端末に番組を提供することができる。
【００６９】
また上述の実施の形態においては、ディジタル衛星放送の受信端末に本発明を適用する場合について述べたが、本発明はこれに限らず、ケーブルテレビ放送、従来の地上波によるテレビジョン放送等の受信端末に広く適用することができる。因みに、地上波によるテレビジョン放送の場合には、送信側識別コードを例えば映像信号のブランキング期間に挿入して伝送し、この送信側識別コードを現行の２重音声の主音声、副音声の切り換えに適用することも考えられる。
【００７０】
【発明の効果】
上述のように本発明によれば、個々の受信装置に設定された受信側識別コードに対応する送信側識別コードを映像信号及び又は音声信号に設定して送出することにより、特定地域向けのプログラム等により各種番組を提供することができる。
【図面の簡単な説明】
【図１】本発明の実施の形態に係るディジタル衛星放送システムを示すブロック図である。
【図２】図１のディジタル衛星放送システムにおけるＰＭＴの説明に供する図表である。
【図３】図２のＰＭＴのディスクリプタの記述を示す図表である。
【図４】図３の他の例によるＰＭＴのディスクリプタの記述を示す図表である。
【図５】ＰＭＴのディスクリプタの具体的な記述を示す図表である。
【図６】図１のディジタル衛星放送システムの受信端末を示すブロック図である。
【図７】受信地域による受信端末の振る舞いを示す図表である。
【図８】図７とは異なるディスクリプタの記述による受信端末の振る舞いを示す図表である。
【図９】図７及び図８とは異なるディスクリプタの記述による受信端末の振る舞いを示す図表である。
【図１０】ＰＡＴの説明に供する図表である。
【符号の説明】
１、２０……ディジタル衛星放送システム、２、２２……放送局、５、２５……ＥＭＭジェネレータ、６、２６……ＭＵＸコントローラ、１１、２１……受信端末、３１……システムコントローラ、３２……デマルチプレクサ
【図１】
0004329144.tif 000002
【図２】
0004329144.tif 000003
【図３】
0004329144.tif 000004
【図４】
0004329144.tif 000005
【図５】
0004329144.tif 000006
【図６】
0004329144.tif 000007
【図７】
0004329144.tif 000008
【図８】
0004329144.tif 000009
【図９】
0004329144.tif 000010
【図１０】
0004329144.tif 000011